(57)【特許請求の範囲】
【請求項１】
ゲーム内の異常アカウントを検出する第１検出部と、
前記異常アカウントと関連する１つ以上の関連アカウントを検出する第２検出部と、
前記異常アカウント及び前記１つ以上の関連アカウントを規制するアカウント規制部と、
を備え、
前記第２検出部は、前記異常アカウントから予め設定された基準値以上のゲーム通貨を受取った、または、前記異常アカウントに前記基準値以上のゲーム通貨を送信した、１つ以上の他のアカウントを前記１つ以上の関連アカウントとして判断する
ことを特徴とする異常アカウント検出装置。
【請求項２】
前記第１検出部は、前記ゲーム内で不法にゲーム通貨を取得する前記異常アカウントを検出することを特徴とする請求項１に記載の異常アカウント検出装置。
【請求項３】
前記第１検出部は、ゲーム通貨取引サイトを介して前記ゲーム内で不法にゲーム通貨を販売する前記異常アカウントを検出することを特徴とする請求項１に記載の異常アカウント検出装置。
【請求項４】
前記第２検出部は、前記異常アカウントと１つ以上の他のアカウントの取引内訳を検査し、取引されるゲーム通貨が予め設定された基準値以下の価格で取引される場合、前記１つ以上の他のアカウントを前記１つ以上の関連アカウントとして判断することを特徴とする請求項１に記載の異常アカウント検出装置。
【請求項５】
前記第２検出部は、前記１つ以上の関連アカウントと関連する１つ以上の他の関連アカウントを予め設定された回数だけ繰り返して検出することを特徴とする請求項１に記載の異常アカウント検出装置。
【請求項６】
ゲーム内の異常アカウントを検出するステップと、
前記異常アカウントと関連する１つ以上の関連アカウントを検出するステップと、
前記異常アカウント及び前記１つ以上の関連アカウントを規制するステップと、
を含み、
前記１つ以上の関連アカウントを検出するステップは、前記異常アカウントから予め設定された基準値以上のゲーム通貨を受取った、または、前記異常アカウントに前記基準値以上のゲーム通貨を送信した、１つ以上の他のアカウントを前記１つ以上の関連アカウントとして判断する
ことを特徴とする異常アカウント検出方法。
【請求項７】
前記異常アカウントを検出するステップは、前記ゲーム内で不法にゲーム通貨を取得する前記異常アカウントを検出するステップを含むことを特徴とする請求項６に記載の異常アカウント検出方法。
【請求項８】
前記異常アカウントを検出するステップは、ゲーム通貨取引サイトを介して前記ゲーム内で不法にゲーム通貨を販売する前記異常アカウントを検出するステップを含むことを特徴とする請求項６に記載の異常アカウント検出方法。
【請求項９】
前記１つ以上の関連アカウントを検出するステップは、
前記異常アカウントと１つ以上の他のアカウントの取引内訳を検査するステップと、
前記検査の結果、前記ゲーム通貨が予め設定された基準値以下の価格で取引される場合、前記１つ以上の他のアカウントを前記１つ以上の関連アカウントとして判断するステップと、
を含むことを特徴とする請求項６に記載の異常アカウント検出方法。
【請求項１０】
前記１つ以上の関連アカウントを検出するステップは、前記１つ以上の関連アカウントと関連する１つ以上の他の関連アカウントを予め設定された回数だけ繰り返して検出することを特徴とする請求項６に記載の異常アカウント検出方法。
【請求項１１】
請求項６〜請求項１０のいずれか１項に記載の方法を実行するプログラムを記録したコンピュータで読み出し可能な記録媒体。
【発明の詳細な説明】
【技術分野】
【０００１】
本発明の実施形態は、異常アカウントを検出する装置及び方法に関し、より詳しくは、異常アカウントからトップ−ダウン（top-down）によって関連アカウントを検出する装置及び方法に関する。
【背景技術】
【０００２】
現在のオンラインゲーム市場の規模は急激に拡大しつつあり、これによって各ゲーム企業らがオンラインゲームの開発に多くの時間及び努力を投資していることで、オンラインゲームが量的及び質的に発展している。
【０００３】
一方、オンラインゲームでは、キャラクタがゲーム中で使用するアイテム及びゲーム通貨などによってサイバー空間で実生活の経済活動に類似の社会を経験することができる。
【０００４】
例えば、オンラインゲームを用いるユーザは自身のキャラクタを用いてアイテムなどを獲得して自身のキャラクタを装飾または強化させることができ、ゲーム通貨を獲得して自身のキャラクタが必要なアイテムを購入することができ、獲得したアイテムを販売してゲーム通貨を取得することもできる。
【０００５】
しかし、今日ではユーザが現金を用いてゲーム通貨を購入し、これをオンラインゲーム上に適用して難なくゲーム通貨を取得できるだけではなく、反対に、オンラインゲーム上で取得したゲーム通貨を他のユーザから現金を受領して販売する場合もある。
【０００６】
したがって、最近では専門的に大規模なコンピュータを備えて職業的にオンラインゲームのアイテム及びゲーム通貨を獲得し現金にして販売するユーザが発生することで、社会的な問題になっているのが実状である。
【発明の概要】
【発明が解決しようとする課題】
【０００７】
本発明の一実施形態は、異常アカウントの関連アカウントを検出し、検出された各アカウントを一括的に規制することを目的とする。
【０００８】
本発明の一実施形態は、ゲーム通貨を現金にして販売する者及びハッカーから発生する不公正な取引事例を追跡することを目的とする。
【０００９】
本発明の一実施形態は、ゲーム内の経済を安定させてゲームユーザのゲームに対する信頼度を上昇させることを目的とする。
【課題を解決するための手段】
【００１０】
本発明の一実施形態に係る異常アカウント検出装置は、ゲーム内の異常アカウントを検出する第１検出部と、前記異常アカウントと関連する１つ以上の関連アカウントを検出する第２検出部と、前記異常アカウント及び前記１つ以上の関連アカウントを規制するアカウント規制部とを備える。
【００１１】
本発明の一実施形態によると、前記第１検出部は、前記ゲーム内で不法にゲーム通貨を取得する前記異常アカウントを検出してもよい。
【００１２】
本発明の一実施形態によると、前記第１検出部は、ゲーム通貨取引サイトを介して前記ゲーム内で不法にゲーム通貨を販売する前記異常アカウントを検出してもよい。
【００１３】
本発明の一実施形態によると、前記第２検出部は、前記異常アカウントから予め設定された基準値以上のゲーム通貨を受取った１つ以上の他のアカウントを前記１つ以上の関連アカウントとして判断してもよい。
【００１４】
本発明の一実施形態によると、前記第２検出部は、前記異常アカウントに予め設定された基準値以上のゲーム通貨を送信した１つ以上の他のアカウントを前記１つ以上の関連アカウントとして判断してもよい。
【００１５】
本発明の一実施形態によると、前記第２検出部は、前記異常アカウントと１つ以上の他のアカウントの取引内訳を検査し、取引されるゲーム通貨が予め設定された基準値以下の価格で取引される場合、前記１つ以上の他のアカウントを前記１つ以上の関連アカウントとして判断してもよい。
【００１６】
本発明の一実施形態によると、前記第２検出部は、前記１つ以上の関連アカウントと関連する１つ以上の他の関連アカウントを予め設定された回数だけ繰り返して検出してもよい。
【００１７】
本発明の一実施形態に係る 異常アカウント検出方法は、ゲーム内の異常アカウントを検出するステップと、前記異常アカウントと関連する１つ以上の関連アカウントを検出するステップと、前記異常アカウント及び前記１つ以上の関連アカウントを規制するステップとを含む。
【発明の効果】
【００１８】
本発明の一実施形態によると、異常アカウントの関連アカウントを検出し、検出された各アカウントを一括的に規制することができる。
【００１９】
本発明の一実施形態によると、ゲーム通貨を現金にして販売する者及びハッカーから発生する不公正取事例を追跡することができる。
【００２０】
本発明の一実施形態によるとゲーム内の経済を安定させてゲームユーザのゲームに対する信頼度を上昇させることができる。
【図面の簡単な説明】
【００２１】
【図１】本発明の一実施形態に係る異常アカウント検出装置の構成を示すブロック図である。
【図２】本発明の一実施形態に係る異常アカウント検出方法を示すフローチャートである。
【図３】本発明の一側に係る異常アカウント検出及び規制方法を示すフローチャートである。
【図４】本発明の一側に係る異常アカウント検出及び規制方法を示すフローチャートである。
【図５】本発明の一側に係る異常アカウント検出によるログデータの例を示す図である。
【図６】本発明の一側に係る異常アカウント検出装置の管理者モードを示す図である。
【図７】本発明の一側に係る異常アカウント検出装置の管理者モードを示す図である。
【発明を実施するための形態】
【００２２】
以下、添付図面に記載された内容を参照して本発明の実施形態を詳細に説明するが、本発明が実施形態によって制限されたり限定されたりすることはない。
【００２３】
一方、本発明の説明において、関連する公知機能または構成に対する具体的な説明が本発明の要旨を不要に曖昧にすると判断される場合には、その詳細な説明は省略する。そして、本明細書で用いられる用語（terminology）は本発明の実施形態を適切に表現するためのものであり、これはユーザ、運用者の意図または本発明が属する分野の慣例などによって変わり得る。したがって、本用語に対する定義は、本明細書全般にわたる内容に基づいて下されなければならない。
【００２４】
図１は、本発明の一実施形態に係る異常アカウント検出装置の構成を示すブロック図である。
【００２５】
図１を参照すると、本発明の一実施形態に係る異常アカウント検出装置１００は、ゲーム内の異常アカウントを検出する第１検出部１１０、前記異常アカウントと関連する１つ以上の関連アカウントを検出する第２検出部１２０、及び前記異常アカウント及び前記１つ以上の関連アカウントを規制するアカウント規制部１３０で構成される。
【００２６】
本発明の一側に係る異常アカウント検出装置１００は、特定ユーザがゲーム通貨を異常に販売、例えば、ゲーム通貨取引サイトを介してゲーム通貨を現金化することを検出し、当該ユーザのアカウントを異常アカウントとして判断する。
【００２７】
本発明の一側面によると、前記異常ユーザは、複数のゲームアカウントを不法プログラムを用いて使用し、異常にゲーム通貨を取得して少数のアカウントに前記ゲーム通貨を集めて他のユーザに販売することがある。
【００２８】
本発明の一側に係る異常アカウント検出装置１００は、前記ゲーム通貨が集まる経路を探索して特定の異常アカウントを検出し、検出された異常アカウントと関連する関連アカウントを一括的に検出する方法を提供する。
【００２９】
以下、本発明の一実施形態に係る異常アカウント検出方法を説明する。
【００３０】
図２は、本発明の一実施形態に係る異常アカウント検出方法を示すフローチャートである。
【００３１】
図２を参照すると、本発明の一実施形態に係る異常アカウント検出装置１００は、第１検出部１１０を用いてゲーム内の異常アカウントを検出する（２１０）。
【００３２】
本発明の一側面によると、第１検出部１１０は、前記ゲーム内で不法にゲーム通貨を取得する前記異常アカウントを検出する。
【００３３】
本発明の一側面によると、第１検出部１１０は、前記１つ以上のアカウントがゲーム通貨を１つ以上のアイテムを予め設定された回数以上販売する場合、前記１つ以上のアカウントを前記異常アカウントとして判断してもよい。
【００３４】
本発明の一側面によると、第１検出部１１０は、前記１つ以上のアカウントと１つ以上の他のアカウントの取引内訳を検査し、取引されるゲーム通貨が予め設定された基準値以下の価格で取引される場合、前記１つ以上のアカウント及び前記１つ以上のアカウントを前記異常アカウントとして判断してもよい。
【００３５】
本発明の一側面によると、第１検出部１１０は、前記１つ以上のアカウントが同一のパターンを繰り返し行う場合、前記１つ以上のアカウントを前記異常アカウントとして判断してもよい。
【００３６】
本発明の一側面によると、第１検出部１１０は、ゲーム通貨取引サイトを介して前記ゲーム内で不法にゲーム通貨を販売する前記異常アカウントを検出することができる。
【００３７】
本発明の一実施形態に係る異常アカウント検出装置１００は、第２検出部１２０を用いて前記異常アカウントと関連する１つ以上の関連アカウントを検出する（２２０）。
【００３８】
本発明の一側面によると、第２検出部１２０は、前記異常アカウントから予め設定された基準値以上のゲーム通貨を受取った１つ以上の他のアカウントを前記１つ以上の関連アカウントとして判断してもよい。
【００３９】
本発明の一側面によると、第２検出部１２０は、前記異常アカウントに予め設定された基準値以上のゲーム通貨を送信した１つ以上の他のアカウントを前記１つ以上の関連アカウントとして判断してもよい。
【００４０】
一般的に、ゲーム内でゲームパッケージを用いて送られるゲーム通貨が大量に渡される場合はほとんど存在しない。
【００４１】
本発明の一側面によると、第２検出部１２０は、異常アカウントにゲームパッケージ送信機能によって基準値以上のゲーム通貨が送信または受取された場合、当該ユーザアカウント及び前記当該ユーザアカウントと関連する関連アカウントを同じ人であると見なし、２つのアカウント全てを異常アカウントとして検出する。
【００４２】
本発明の一側面によると、第２検出部１２０は、前記異常アカウントと１つ以上の他のアカウントの取引内訳を検査し、取引されるゲーム通貨が予め設定された基準値以下の価格で取引される場合、前記１つ以上の他のアカウントを前記１つ以上の関連アカウントとして判断してもよい。
【００４３】
一般的に、ゲーム内でユーザ間のゲーム通貨取引の場合、ユーザの一側が有利な取引は持続されないことが正常である。
【００４４】
例えば、ゲーム内の通貨を相互交換する場合、相互ユーザは交換しようとするゲーム通貨を互いに提示して適正であると感じるとき取引を承諾する方式で取引される。
【００４５】
本発明の一側に係る第２検出部１２０は、一方的に一側が利益を得る取引が行われる場合、相互ユーザが相互に知っている者同士、または同じ人が複数のアカウントを用いてゲーム通貨を取引するものと判断してもよい。
【００４６】
本発明の一側に係る第２検出部１２０は、異常アカウントと１つ以上の他のアカウントがゲーム通貨を取引した場合、異常アカウントが相手側から提示されたたゲーム通貨より１／Ｎ以下のゲーム通貨を提示して取引することによって、異常アカウントがＮ倍以上の利益を得る場合には、取引を取りまとめた１つ以上の他のアカウントも異常アカウントとして検出してもよい。
【００４７】
本発明の一側面によると、第２検出部１２０は、異常アカウントによって検出される関連アカウントを第２異常アカウントとして登録し、前記第２異常アカウントと関連する関連アカウントを再び検出する方式、すなわち、トップ−ダウン（top-down）方式を用いて追加的に関連アカウントを検出する。
【００４８】
本発明の一側面によると、第２検出部１２０は、前記１つ以上の関連アカウントと関連する１つ以上の他の関連アカウントを予め設定された回数だけ繰り返して検出してもよい。
【００４９】
本発明の一側に係る異常アカウント検出装置１００は、前記ステップ２２０を繰り返し行うことで関連アカウントに対する他の関連アカウントを探す方式を用いて、異常アカウントの複数の関連アカウントを検出してもよい。
【００５０】
本発明の一実施形態に係る異常アカウント検出装置１００は、アカウント規制部１３０を用いて前記異常アカウント及び前記１つ以上の関連アカウントを規制する（２３０）。
【００５１】
以下、図３及び図４を参照して本発明の一側に係る異常アカウント検出及び規制方法をより詳しく説明する。
【００５２】
図３及び図４は、本発明の一側に係る異常アカウント検出及び規制方法を示すフローチャートである。
【００５３】
図３に示すように、本発明の一側に係る異常アカウント検出装置１００は、異常アカウントの識別子を入力し（３１０）、異常アカウントのログを、調査の一定期間のログデータにおける１ライン（ｌｉｎｅ）毎に調査する（３２０）。
【００５４】
本発明の一側に係る異常アカウント検出装置１００は、異常アカウントが１つ以上の他のアカウントからゲーム通貨を受取ったか否かを判断し（３３０）、ゲーム通貨を受取った場合、前記ゲーム通貨をゲームパッケージを介して受取ったか否か判断する（３４０）。
【００５５】
本発明の一側に係る異常アカウント検出装置１００は、異常アカウントがゲーム通貨をゲームパッケージを介して受取った場合、ログデータのスタック１（ｓｔａｃｋ＿１）にゲーム通貨を送信した他のアカウントの情報を格納した後、３２０に戻る（３５０）。
【００５６】
本発明の一側に係る異常アカウント検出装置１００は、異常アカウントがゲーム通貨をゲームパッケージを介して受取っていない場合、１つ以上の他のアカウントと取引によりゲーム通貨を受取ったか否かを判断する（３６０）。
【００５７】
本発明の一側に係る異常アカウント検出装置１００は、異常アカウントがゲーム通貨を取引により受取った場合、設定された基準値を超過した価格で取引されたか否かを判断する（３７０）。
【００５８】
本発明の一側に係る異常アカウント検出装置１００は、前記取引が基準値を超過した価格で取引された場合、ログデータのスタック１（ｓｔａｃｋ＿１）にゲーム通貨を送信した他のアカウントの情報を格納した後、３２０に戻る（３５０）。
【００５９】
本発明の一側に係る異常アカウント検出装置１００は、異常アカウントがゲーム通貨を取引により受取っていないか、設定された基準値超過した価格で取引されていない場合、本来のプロセスに戻った後、ログデータを続けて調査する（３８０）。
【００６０】
図４に示すように、本発明の一側に係る異常アカウント検出装置１００は、異常アカウントのログデータの最後のラインまで調査が完了した場合（４１０）、スタック１が空いているか否かを判断する（４２０）。
【００６１】
本発明の一側に係る異常アカウント検出装置１００は、スタック１が空いている場合、スタック１の最初のアカウントの識別子をスタック２（ｓｔａｃｋ＿２）に移動させ、スタック１における最初のアカウントを削除した後、最初のプロセスに、識別子と、現在何番目の下位アカウントであるかを記録する（４３０、４４０）。
【００６２】
本発明の一側に係る異常アカウント検出装置１００は、スタック１が空いていない場合、スタック２（ｓｔａｃｋ＿２）を目録に記録してプロセスを終了する（４５０）。
【００６３】
図５は、本発明の一側に係る異常アカウント検出によるログデータの例を示す図である。
【００６４】
図５を参照すると、本発明の一側に係る異常アカウント検出装置１００は、異常点数を付与するパターンを分析するためのログデータを生成及び格納してもよい。
【００６５】
本発明の一側に係る異常アカウント検出装置１００は、現在の日付（ｄａｔｅ）、ゲーム通貨を送信したアカウント（ｍ＿ｉｄ）、現在何回目の下位アカウントであるか（ｔｒｅｅ＿ｎｏ）、ゲーム通貨を受取ったアカウント（ｓ＿ｍｉｄ）、ゲーム通貨を受取った日付及び時間（ｏｃｃ＿ｄａｔｅ）、ゲーム通貨の規模（ｍｏｎｅｙ）、ゲーム通貨の識別子（ｉｔｅｍ）、当該ゲーム通貨の平均価格（ｖａｌ＿ｉｔｅｍ）などを前記ログデータとして格納してもよい。
【００６６】
図６及び図７は、本発明の一側に係る異常アカウント検出装置の管理者モードを示す図である。
【００６７】
本発明の一側に係る異常アカウント検出装置１００は、異常アカウントの関連アカウントを１次〜３次アカウントまで検出した後、図６に示すように、ゲームマネー（ゴールド）及び関連ログを管理者が把握可能なプロセスを提供することができる。
【００６８】
本発明の一側に係る異常アカウント検出装置１００の管理者は、見るボタン６１０をクリックして図７に示すように細部事項を把握する。
【００６９】
本発明に係る実施形態は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。
【００７０】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００７１】
したがって、本発明の範囲は、開示された実施形態に限定されるものではなく、特許請求の範囲だけではなく特許請求の範囲と均等なものなどによって定められるものである。
【符号の説明】
【００７２】
１００：異常アカウント検出装置
１１０：第１検出部
１２０：第２検出部
１３０：アカウント規制部
【図１】
0005939596.tif 000002
【図２】
0005939596.tif 000003
【図３】
0005939596.tif 000004
【図４】
0005939596.tif 000005
【図５】
0005939596.tif 000006
【図６】
0005939596.tif 000007
【図７】
0005939596.tif 000008